(57)【要約】【課題】本発明は、データ送信能力を改善する方法、装置及びシステムを提供し、通信技術分野に関連し、かつ、端末が５ＧＨｚのＷｉＦｉ（登録商標）ネットワークを用いてデータを送信するとき、信号強度の減衰によって引き起こされるデータ送信能力の低下の問題を解決する。【解決手段】具体的な手順は、データ送信の送信速度が前記データが実際に必要とする基準送信速度よりも低いか否かを決定するステップと、もし、前記基準送信速度よりも低い場合、一部又は全体の動作周波数帯域に問い合わせを行うことにより、基準送信速度よりも高いか又は等しい送信速度に対応する基準動作周波数を前記動作周波数帯域から取得するステップと、周波数修正指示情報をネットワークアクセスデバイスに送信するステップと、通信のための動作周波数を前記基準動作周波数に修正するステップと、を含む。本発明はデータ送信に適用されることができる。【選択図】図１
2014003611.tif 000002
【特許請求の範囲】
【請求項１】
データ送信能力を改善する方法において、
データ送信の送信速度が、前記データが実際に必要とする基準送信速度よりも低いか否かを決定するステップと、
もし、前記基準送信速度よりも低い場合、一部又は全体の動作周波数帯域に問い合わせを行うことにより、前記基準送信速度よりも高いか又は等しい送信速度に対応する基準動作周波数を動作周波数帯域から取得するステップと、
周波数修正指示情報をネットワークアクセスデバイスに送信するステップであって、これにより、前記ネットワークアクセスデバイスは、該ネットワークアクセスデバイスと周波数修正指示情報を送信する端末との間の通信のために、前記周波数修正指示情報に基づいて、前記動作周波数を前記基準動作周波数に修正し、前記周波数修正指示情報は前記基準動作周波数を含む、ステップと、
通信のための前記動作周波数を、前記基準動作周波数に修正するステップと、
を含むデータ送信能力を改善する方法。
【請求項２】
前記基準送信速度よりも高いか又は等しい送信周波数に対応する前記基準動作周波数を前記動作周波数帯域から取得する、ステップは、
動作周波数帯域から動作周波数と、取得された動作周波数に対応する送信速度とを取得するステップであって、もし、取得された動作周波数の数が３よりも大きいか又は等しい場合、取得された動作周波数の中の２つの隣接する各動作周波数値間の差分値は同じである、ステップと、
取得された動作周波数から、基準送信速度よりも高いか又は等しい送信速度に対応する送信速度基準動作周波数を取得する、ステップと、
を含む請求項１に記載のデータ送信能力を改善する方法。
【請求項３】
前記基準動作周波数に対応する前記送信速度が、取得された動作周波数全てに対応する送信速度よりも高いか又は等しい場合、
を含む請求項２に記載のデータ送信能力を改善する方法。
【請求項４】
端末により送信された周波数修正指示情報をネットワークアクセスデバイスによって受信するステップで、
前記周波数修正指示情報は基準動作周波数を含み、データ送信の送信速度が、前記データが実際に必要とする基準送信速度よりも低いと端末が決定した後に、一部又は全体の動作周波数帯域に問い合わせを行うことにより動作周波数帯域から基準動作周波数が取得され、かつ、前記基準動作周波数は、基準送信速度よりも高いか又は等しい送信周波数に一致する、ステップと、
前記周波数修正指示情報に基づいて、前記ネットワークアクセスデバイスと前記端末との間の通信のための動作周波数を前記基準動作周波数に修正するステップと、
を含むデータ送信能力を改善する方法。
【請求項５】
前記基準動作周波数に対応する前記送信速度は、取得された全ての動作周波数全てに対応する送信速度よりも高いか又は等しい、請求項４に記載のデータ送信能力を改善する方法。
【請求項６】
データ送信の送信速度が、前記データが実際に必要とする基準送信速度よりも低いか否かを決定するように構成されるコンパレータであって、もし該コンパレータが、データ送信の送信速度が前記基準送信速度よりも低いと決定する場合、プロセッサに通知メッセージを送信するコンパレータと、
一部又は全体の動作周波数帯域に問い合わせを行うことにより、コンパレータによって送信された通知メッセージに従って、前記動作周波数帯域から基準動作周波数を取得するように構成され、前記基準動作周波数は、基準送信速度よりも高いか又は等しい送信周波数に一致し、かつ、前記基準動作周波数を送信器に送信するとともに、ネットワークアクセスデバイスと前記端末の間の通信のための動作周波数を、基準動作周波数に修正するように構成されるプロセッサと、
プロセッサにより送信された前記基準動作周波数を受信し、かつ、周波数修正指示情報をネットワークアクセスデバイスに送信することにより、ネットワークアクセスデバイスが、前記周波数修正指示情報に基づいて、通信のための前記動作周波数を前記基準動作周波数に修正するように構成され、周波数修正指示情報がプロセッサにより取得された基準動作周波数を含む、送信器と、
を含む端末。
【請求項７】
前記プロセッサは、さらに、動作周波数と、動作周波数帯域から取得された動作周波数に対応する送信速度とを取得するように構成され、もし、取得された動作周波数の数が３よりも大きいか又は等しい場合、前記取得された動作周波数の中の２つの隣接する各動作周波数値間の差分値は同じであり、かつ、取得された動作周波数から基準送信速度よりも高いか又は等しい送信速度に対応する基準動作周波数を取得するように構成される請求項６に記載の端末。
【請求項８】
前記プロセッサは、取得された動作周波数に対応する送信速度の中で最大の送信速度に対応する基準動作周波数を取得するように構成される請求項７に記載の端末。
【請求項９】
端末により送信された周波数修正指示情報を受信するように構成される受信器であって、前記周波数修正指示情報は基準動作周波数を含み、データ送信の送信速度は前記データが実際に必要とする基準送信速度よりも低いと前記端末が決定した後に、一部又は全体の動作周波数帯域に問い合わせを行うことにより、前記動作周波数帯域から前記基準動作周波数が取得され、かつ、前記基準動作周波数は、基準送信速度よりも高いか又は等しい送信周波数に一致する、受信器と、
前記受信器により受信された周波数修正指示情報に基づいて、ネットワークアクセスデバイスと前記端末との間の通信のための動作周波数を前記基準動作周波数に修正するように構成される、プロセッサと、
を含むネットワークアクセスデバイス。
【請求項１０】
データ送信の送信速度が、前記データが実際に必要とする基準送信速度よりも低いか否かを決定し、もし基準送信速度よりも低い場合、一部又は全体の動作周波数帯域に問い合わせを行うことにより、基準送信速度よりも高いか又は等しい送信周波数に一致する基準動作周波数を動作周波数帯域から取得し、周波数修正指示情報をネットワークアクセスデバイスに送信し、これにより、前記ネットワークアクセスデバイスは、前記周波数指示情報に基づいて、端末との通信のためのその動作周波数を前記基準動作周波数に修正し、前記周波数修正指示情報が前記基準動作周波数を含み、かつ、通信のための前記動作周波数を前記基準動作周波数に修正するように構成される端末と、
前記端末により送信された周波数修正指示情報を受信し、かつ、前記周波数修正指示情報に基づいて、通信のための動作周波数を基準動作周波数に修正するように構成される前記ネットワークアクセスデバイスと、
を含むデータ送信能力を改善するシステム。
【請求項１１】
前記端末は、取得された動作周波数に対応する送信速度の中で最大の送信速度に対応する基準動作周波数を取得するように構成される、請求項１０に記載のデータ送信能力を改善するシステム。
【発明の詳細な説明】
【技術分野】
【０００１】
本発明は通信技術の分野に関するもので、特に、データ送信能力を改善する方法、装置及びシステムに関する。
【背景技術】
【０００２】
５ＧＨｚのＷｉＦｉ（登録商標）の周波数帯域（Ｗｉｒｅｌｅｓｓ  Ｆｉｄｅｌｉｔｙ）は４９１０ＭＨｚから５８３５ＭＨｚまでの範囲の帯域幅で動作する。信号強度の減衰は、端末がどんな周波数でデータ送信を使用したとしても、起こる可能性がある。それゆえに、端末が、５ＧＨｚのＷｉＦｉ（登録商標）の周波数帯域において、特定の周波数を用いてデータを送信するとき、信号強度の減衰が発生した後、データ送信能力は劇的に低下し、これにより、例えばデータ送信の遅延又はデータ損失のような問題が発生する可能性がある。その一方で、６０ＧＨｚと２．４ＧＨｚのＷｉＦｉ（登録商標）の周波数帯域もまた、前記の問題に直面する。従来技術は前記問題を解決する方法を提供していない。
【発明の概要】
【発明が解決しようとする課題】
【０００３】
本発明の態様はデータ送信能力を改善する方法、装置及びシステムを提供するとともに、端末が５ＧＨｚのＷｉＦｉ（登録商標）の周波数帯域を使用してデータを送信する時に、信号強度の減衰により引き起こされるデータ送信能力の低下の問題を解決する。
【課題を解決するための手段】
【０００４】
上記の目的を達成するために、本発明の態様は以下の技術的解決策を採用する。
【０００５】
一態様において、データ送信能力を改善する方法が提供され、データ送信の送信速度が、前記データが実際に必要とする基準送信速度よりも低いか否かを決定するステップと、もし、前記基準送信速度よりも低い場合、一部又は全体の動作周波数帯域に問い合わせ（ｑｕｅｒｙ）を行うことにより、前記基準送信速度より高いか又は等しい送信速度に対応する基準動作周波数を前記動作周波数帯域から取得するステップと、周波数修正指示情報をネットワークアクセスデバイスに送信するステップであって、これにより、前記ネットワークアクセスデバイスは、前記周波数修正指示情報を送信する端末との通信のために、前記周波数修正指示情報に基づいて、その動作周波数を前記基準動作周波数に修正し、前記周波数修正指示情報は前記基準動作周波数を含むステップと、通信のための前記動作周波数を前記基準動作周波数に修正するステップと、を含む。
【０００６】
また、データ送信能力を改善する別の方法がさらに提供され、端末により送信された周波数修正指示情報をネットワークアクセスデバイスで、受信するステップで、前記周波数修正指示情報は基準動作周波数を含み、データ送信の送信速度が、前記データが実際に必要とする基準送信速度よりも低いと前記端末が決定した後に、一部又は全体の動作周波数帯域に問い合わせを行うことにより前記動作周波数帯域から前記基準動作周波数が取得され、かつ、該基準動作周波数が、基準送信速度よりも高いか又は等しい送信周波数に一致する、ステップと、周波数修正指示情報に基づいて、前記ネットワークアクセスデバイスと前記端末との間の通信のための動作周波数を前記基準動作周波数に修正するステップと、を含む。
【０００７】
別の態様において、端末とネットワークアクセスデバイスを含む、データ送信能力を改善する装置が提供される。
【０００８】
端末は、データ送信の送信速度が、前記データが実際に必要とする基準送信速度よりも低いか否かを決定するように構成されるコンパレータにおいて、もし、該コンパレータが、データ送信の送信速度が前記基準送信速度よりも低いと決定する場合、プロセッサに通知メッセージを送信する、コンパレータと、一部又は全体の動作周波数帯域に問い合わせを行うことにより、コンパレータによって送信された通知メッセージに従って動作周波数帯域から基準動作周波数を取得するように構成され、前記基準動作周波数は、前記基準送信速度よりも高いか又は等しい送信周波数に一致しており、かつ、前記基準動作周波数を送信器に送信するとともに、ネットワークアクセスデバイスと前記端末の間の通信のための動作周波数を、前記基準動作周波数に修正するように構成される、プロセッサと、前記プロセッサにより送信された前記基準動作周波数を受信し、かつ、周波数修正指示情報をネットワークアクセスデバイスに送信することにより、前記ネットワークアクセスデバイスが、前記周波数修正指示情報に基づいて、通信のための前記動作周波数を前記基準動作周波数に修正するように構成され、前記周波数修正指示情報はプロセッサにより取得された前記基準動作周波数を含む、送信器を含む。
【０００９】
ネットワークアクセスデバイスは、端末により送信された周波数修正指示情報を受信するように構成され、ここで前記周波数修正指示情報は基準動作周波数を含み、前記端末が、データ送信の送信速度は前記データが実際に必要とする基準送信速度よりも低いと決定した後に、一部又は全体の動作周波数帯域に問い合わせを行うことにより、前記動作周波数帯域から前記基準動作周波数が取得され、かつ、前記基準動作周波数は、基準送信速度よりも高いか又は等しい送信周波数に一致する受信器と、前記受信器により受信された周波数修正指示情報に基づいて、ネットワークアクセスデバイスと前記端末との間の通信のための動作周波数を前記基準動作周波数に修正するように構成されるプロセッサと、を含む。
【００１０】
さらに別の態様において、データ送信能力を改善するシステムが提供され、データ送信の送信速度が、前記データが実際に必要とする基準送信速度よりも低いか否かを決定し、かつ、もし前記基準送信速度よりも低い場合、一部又は全体の動作周波数帯域に問い合わせを行うことにより、前記基準送信速度よりも高いか又は等しい送信周波数に一致する基準動作周波数を前記動作周波数帯域から取得し、周波数修正指示情報をネットワークアクセスデバイスに送信し、これにより、該ネットワークアクセスデバイスは、前記周波数修正指示情報に基づいて、端末との通信のためのその動作周波数を前記基準動作周波数に修正し、前記周波数修正指示情報は前記基準動作周波数を含み、かつ、通信のための前記動作周波数を前記基準動作周波数に修正するように構成される、端末と、前記端末により送信された前記周波数修正指示情報を受信し、かつ、前記周波数修正指示情報に基づいて、通信のための前記動作周波数を前記基準動作周波数に修正するように構成される前記ネットワークアクセスデバイスと、を含む。
【００１１】
本発明の前記態様は、データ送信能力を改善するための方法、装置及びシステムを提供する。前記解決策を採用することによって、送信速度が基準送信速度よりも低いということを端末が決定した後、動作周波数帯域全体から前記基準送信速度よりも高い送信速度に対応する動作周波数を取得する。さらに、前記端末は、前記基準送信速度よりも高い送信速度に対応する動作周波数の中の基準動作周波数を、前記端末とネットワークアクセスデバイスの間の通信のための動作周波数として決定する。その一方で、前記端末は、前記基準動作周波数を有する周波数修正指示情報をネットワークアクセスデバイスに送信し、これにより、前記ネットワークアクセスデバイスは、前記端末との通信のためのその動作周波数を基準動作周波数に修正する。このように、前記端末は、基準送信速度よりも高い送信速度でデータを送信することができ、それによって、信号強度の減衰により引き起こされる送信速度の低下を効果的に軽減し、かつ、さらにデータ送信能力を改善する。
【図面の簡単な説明】
【００１２】
本発明の実施形態における技術的解決策をより明瞭に説明するために、以下に実施形態の説明に必要となる添付図面を簡潔に紹介する。以下の説明における前記添付図面は、明らかに、本発明の単なるいくつかの実施形態を示しており、当業者は創造的努力なしに、これらの添付図面に従って、他の図面を導き出すことが可能である。
【図１】本発明の一実施形態によるデータ送信能力を改善するための方法のフローチャートである。
【図２】本発明の一実施形態において、実行部（ｅｘｅｃｕｔｉｖｅ  ｅｎｔｉｔｙ）としての端末を用いてデータ送信能力を改善する方法のフローチャートである。
【図３】本発明の一実施形態において、実行部としてネットワークアクセスデバイスを用いてデータ送信能力を改善するための方法のフローチャートである。
【図４】本発明の一実施形態における、端末の構造図である。
【図５】本発明の一実施形態における、ネットワークアクセスデバイスの構造図である。
【図６】本発明の一実施形態における、データ送信能力を改善するためのシステムの構造図である。
【発明を実施するための形態】
【００１３】
本発明の実施形態における添付図面を参照して、本発明の実施形態における技術的解決策を以下に明瞭かつ十分に説明する。説明された実施形態は、明らかに、本発明の実施形態の全てよりむしろ、単なる一部にすぎない。本発明の実施形態に従い、当業者により創造的な努力なしで取得される他の実施形態の全ては、本発明の保護範囲であることは当然である。
【００１４】
端末が、５ＧＨｚのＷｉＦｉ（登録商標）の周波数帯域における通信を行うとき、信号強度の減衰が発生した後、データ送信の送信速度は劇的に低下し、それによって、さらに、深刻なデータ送信能力の低下という結果になる。
〔実施形態１〕
【００１５】
実行部（ｅｘｅｃｕｔｉｖｅ  ｅｎｔｉｔｙ）が端末である場合、前記問題に対処するために、この実施形態はデータ送信能力を改善するための方法を提供する。図１に示すように、以下のステップが含まれる。
【００１６】
ステップ１０１：データ送信の送信速度が、前記データが実際に必要とする基準送信速度よりも低いか否かを決定する。
【００１７】
端末のいくつかのサービスは、送信速度において、厳しい要求を持つ。一つのサービスのデータ送信の送信速度が低すぎることは、前記サービスのデータ送信の遅延又はデータ損失という結果になる可能性があり、それによって、前記サービスのユーザの体感をさらに悪化させる。
【００１８】
特に、端末はデータ送信の送信速度が基準送信速度よりも低いか否かを決定する。もし、前記送信速度が前記基準送信速度よりも低い場合、それは前記端末の前記送信速度が低すぎることを示し、もし、前記送信速度が前記基準送信速度よりも高いか又は等しい場合、それは前記端末の送信速度は低すぎないことを示す。
【００１９】
もし、前記基準送信速度よりも低い場合、ステップ１０２を実行し、もし、基準送信速度よりも高いか又は等しい場合、前記処理は終了する。
【００２０】
ステップ１０２：一部又は全体の動作周波数帯域に問い合わせる（ｑｕｅｒｙ）ことにより、前記基準送信速度よりも高いか又は等しい送信速度に対応する基準動作周波数を、前記動作周波数帯域から取得する。
【００２１】
端末は、動作周波数帯域全体の任意の動作周波数において、動作する。もし、前記送信速度が前記基準送信速度よりも低い場合、それは端末の送信速度が低すぎることを示す。前記端末の前記送信速度が低すぎないことを確保するために、前記端末は一部又は全体の動作周波数帯域に問い合わせを行うことにより、前記基準送信速度よりも高いか又は等しい送信速度に対応する基準動作周波数を前記動作周波数帯域から取得する。
【００２２】
ステップ１０３：周波数修正指示情報をネットワークアクセスデバイスに送信するステップであって、これにより、前記周波数修正指示情報を送信する端末と通信を行うために、前記周波数修正指示情報に基づいて、その動作周波数を前記基準動作周波数に修正し、前記周波数修正指示情報は前記基準動作周波数を含む。
【００２３】
端末とデータ送信を行うために、ネットワークアクセスデバイスが基準動作周波数を使うことができるように、基準動作周波数を含む周波数修正指示情報が前記ネットワークアクセスデバイスに送信され、これにより、前記ネットワークアクセスデバイスは、前記周波数修正指示情報を送信する前記端末との通信のために、その動作周波数を前記基準動作周波数に修正する。
【００２４】
ステップ１０２において、端末によって取得された前記基準動作周波数は、送信速度を基準送信速度よりも高くする動作周波数であってもよい。前記端末が属するネットワークアクセスデバイスと前記端末との間の通信のための動作周波数を、基準動作周波数に修正することは、前記端末とネットワークアクセスデバイスとの間のデータ送信のための前記送信速度を増加させることができ、前記送信速度を前記基準送信速度よりも高く保ち、すなわち、言い換えれば、サービスデータの前記送信要求を満たすことができ、それによって、さらに、前記端末と前記ネットワークアクセスデバイスにより送信されるサービスデータを使用するユーザの体感が悪化しないことを確保する。
【００２５】
ステップ１０４：端末は通信のための前記動作周波数を基準動作周波数に修正する。
【００２６】
端末が属する前記ネットワークアクセスデバイスが、前記端末との通信のための前記動作周波数を前記基準動作周波数に修正するとき、同時に前記端末は動作周波数を前記基準動作周波数に修正し、これにより、前記端末はデータ送信の間、前記基準動作周波数を使用することができ、それによって、前記端末の送信速度が増加し、前記送信速度が前記基準送信速度よりも高いか又は等しいことを確保する。
【００２７】
前記解決策を採用することによって、送信速度が基準送信速度よりも低いということを端末が決定した後、動作周波数帯域全体から基準送信速度よりも高い送信速度に対応する動作周波数を取得する。さらに、前記端末は、前記基準送信速度よりも高い送信速度に対応する動作周波数の中の基準動作周波数を、端末がネットワークアクセスデバイスと通信するための前記動作周波数として決定する。その一方で、前記端末は、前記基準動作周波数を有する周波数修正指示情報を前記ネットワークアクセスデバイスに送信し、これにより、前記ネットワークアクセスデバイスは、端末との通信のためのその動作周波数を前記基準動作周波数に修正する。このように、前記端末は、基準送信速度よりも高い送信速度でデータを送信することができ、それによって、信号強度の減衰により引き起こされる送信速度の低下を効果的に軽減し、かつ、さらにデータ送信能力を改善する。
〔実施形態２〕
【００２８】
一実施形態の改善策として、前記実施形態は実行部が端末にある場合においてデータ送信能力を改善する別の方法を提供する。図２に示すように、以下のステップが含まれる。
【００２９】
ステップ２０１：データ送信の送信速度が、前記データが実際に必要とする基準送信速度よりも低いか否かを決定する。
【００３０】
端末のいくつかのサービスは、送信速度において、厳しい要求を持つ。一つのサービスのデータ送信の送信速度が低すぎることは、前記サービスのデータ送信の遅延又はデータ損失という結果になる可能性があり、それによって、前記サービスのユーザの体感をさらに悪化させる。
【００３１】
特に、端末はデータ送信の送信速度が基準送信速度よりも低いか否かを決定する。もし、前記送信速度が前記基準送信速度よりも低い場合、それは前記端末の送信速度が低すぎることを示し、もし、前記送信速度が前記基準送信速度よりも高いか又は等しい場合、それは前記端末の送信速度は低すぎないことを示す。
【００３２】
もし、前記基準送信速度よりも低い場合、ステップ２０２を実行し、もし、前記基準送信速度よりも高いか又は等しい場合、前記処理は終了する。
【００３３】
ステップ２０２：一部又は全体の動作周波数帯域に問い合わせることにより、動作周波数と、前記取得された動作周波数に対応する送信速度とを取得する。
【００３４】
端末は、前記動作周波数帯域全体の任意の動作周波数において、動作する。もし、前記送信速度が基準送信速度よりも低い場合、それは前記端末の送信速度が低すぎることを示す。前記端末の送信速度が低すぎないことを確保するために、前記端末は、一部又は全体の動作周波数帯域に問い合わせを行うことにより、前記基準送信速度よりも高いか又は等しい送信速度に対応する基準動作周波数を前記動作周波数帯域から取得する。
【００３５】
この実施形態の実行手段のように、端末は、前記動作周波数帯域全体から、既定の周波数間隔に基づいて動作周波数を取得することができ、かつ、取得された動作周波数に対応する送信速度を記憶する。
【００３６】
言い換えれば、もし、前記取得された動作周波数の数が３よりも大きいか又は等しい場合、前記取得された動作周波数の中の２つの隣接する各動作周波数値間の差分値は同じである。
【００３７】
この実施形態は、動作周波数を記憶する方法を規定しない。それは、当業者が精通しているいかなる方法、例えば記憶メモリを使用する方法であってもよい。ここでは詳細は繰り返し説明しない。
【００３８】
この実施形態の実行手段として、もし前記動作周波数帯域が、４９１０ＭＨｚから５８３５ＭＨｚの範囲であって、１００ＭＨｚの既定の周波数間隔である場合、取得された動作周波数は５０１０ＭＨｚ、５１１０ＭＨｚ、５２１０ＭＨｚ、５３１０ＭＨｚ、５４１０ＭＨｚ、５５１０ＭＨｚ、５６２０ＭＨｚ、５７１０ＭＨｚ、５８１０ＭＨｚを含むことができる。
【００３９】
前記既定の周波数間隔が小さいほど、動作周波数帯域から取得される動作周波数の数は大きくなる。つまり、前記動作周波数帯域に、より正確な問い合わせを行うことで、端末が最適な動作周波数を取得する可能性は増加する。
【００４０】
続くステップを準備するために、端末が動作周波数帯域に問い合わせを行った後に、動作周波数に対応する取得された送信速度を取得するとともに、記憶する。
【００４１】
さらに任意に、端末は既定の周波数に基づいて、全体又は一部の動作周波数帯域から動作周波数を取得することができ、つまり、全体又は一部の前記動作周波数帯域に問い合わせを行う前に、前記全体の動作周波数帯域から前記端末によって規定された周波数を取得することができる。
【００４２】
前記実施形態は、動作周波数帯域全体から動作周波数を取得する方法を規定せず、既定の周波数間隔と既定の周波数は、実際の要求に従って設定される。ここでは詳細は繰り返し説明しない。
【００４３】
ステップ２０３：取得された動作周波数から、基準送信速度よりも高いか又は等しい送信速度に対応する前記基準動作周波数を取得する。
【００４４】
前記端末の前記送信速度が低すぎないことを確保するために、前記端末は前記取得された動作周波数から前記基準送信速度よりも高いか又は等しい送信速度に対応する基準動作周波数を取得する。
【００４５】
送信速度が高いほど、端末のデータ送信能力は向上する。それゆえに、さらに任意に、端末によって取得された前記基準動作周波数に対応する前記送信速度は、全ての前記取得された動作周波数に対応する送信速度よりも高いか又は等しい。
【００４６】
また、前記基準動作周波数は、前記動作周波数帯域全体に含まれる送信周波数の干渉度合と、それぞれの送信周波数に対応する送信速度の値とに基づいて、取得することができる。
【００４７】
例えば、より少ない干渉及びより高い送信速度の送信周波数が取得され、かつ、前記取得された周波数は、基準動作周波数として決定される。
【００４８】
この実施形態は、端末による基準動作周波数を取得する方法を規定せず、このことは実際の必要に従って設定されることができる。ここでは詳細は繰り返し説明しない。
【００４９】
ステップ２０４：周波数修正指示情報をネットワークアクセスデバイスに送信するステップであって、これにより、前記ネットワークアクセスデバイスは、前記周波数修正指示情報を送信する端末と通信するために、前記周波数修正指示情報に基づいて、その動作周波数を前記基準動作周波数に修正し、前記周波数修正指示情報は前記基準動作周波数を含む。
【００５０】
端末とデータ送信を行うために、ネットワークアクセスデバイスが基準動作周波数を使うことができるように、基準動作周波数を含む周波数修正指示情報が前記ネットワークアクセスデバイスに送信され、これにより、前記ネットワークアクセスデバイスは、前記周波数修正指示情報を送信する前記端末との通信のために、その動作周波数を前記基準動作周波数に修正する。
【００５１】
ステップ２０３において、前記端末によって取得された前記基準動作周波数は、送信速度を基準送信速度よりも高くする動作周波数であってもよい。前記端末が属する前記ネットワークアクセスデバイスと前記端末との間の通信のための動作周波数を前記基準動作周波数に修正することは、前記端末とネットワークアクセスデバイスとの間のデータ送信の前記送信速度を増加させることができ、前記送信速度を前記基準送信速度よりも高く保ち、すなわち、言い換えれば、サービスデータの前記送信要求を満たすことができ、それによって、さらに、前記端末と前記ネットワークアクセスデバイスにより送信されるサービスデータを使用するユーザの体感が悪化しないことを確保する。
【００５２】
ステップ２０６：端末は通信のための前記動作周波数を基準動作周波数に修正する。
【００５３】
端末が属する前記ネットワークアクセスデバイスが、前記端末との通信のためのその動作周波数を、前記基準動作周波数に修正するとき、同時に前記端末はその動作周波数を前記基準動作周波数に修正し、これにより、前記端末はデータ送信の間、基準動作周波数を使用することができ、それによって、前記端末の送信速度を増加させ、前記送信速度が前記基準動作周波数よりも高いか又は等しいことを確保する。
【００５４】
前記解決策を採用することによって、送信速度が基準送信速度よりも低いということを端末が決定した後、前記基準送信速度よりも高い送信速度に対応する動作周波数を動作周波数帯域全体から取得する。さらに、前記端末は、前記基準送信速度よりも高い送信速度に対応する動作周波数の中の基準動作周波数を、ネットワークアクセスデバイスと通信を行う前記端末の動作周波数として決定する。その一方で、前記端末は、前記基準動作周波数を有する周波数修正指示情報を、前記ネットワークアクセスデバイスに送信し、これにより、前記ネットワークアクセスデバイスは端末との通信のためのその動作周波数を前記基準動作周波数に修正する。このように、前記端末は、基準送信速度よりも高い送信速度でデータを送信することができ、それによって、信号強度の減衰により引き起こされる送信速度の低下を効果的に軽減し、かつ、さらにデータ送信能力を改善する。
〔実施形態３〕
【００５５】
この実施形態は、データ送信能力を改善する別の方法を提供しており、ここで実行部はネットワークアクセスデバイスである。図３に示すように、以下のステップが含まれる。
【００５６】
ステップ３０１：ネットワークアクセスデバイスは、端末によって送信された周波数修正指示情報を受信する。
【００５７】
前記周波数修正指示情報は、基準動作周波数を含む。データ送信の送信速度が、前記データが実際に必要とする基準送信速度よりも低いと前記端末が決定した後に、一部又は全体の動作周波数帯域に問い合わせを行うことにより動作周波数帯域から前記基準動作周波数が取得され、かつ、前記基準動作周波数は、前記基準送信速度よりも高いか又は等しい送信周波数に一致する。
【００５８】
さらに、基準動作周波数に対応する前記送信速度は、前記取得された動作周波数全てに対応する送信速度よりも高いか又は等しくてもよい。
【００５９】
ステップ３０２：前記ネットワークアクセスデバイスと前記端末の間の通信のための動作周波数を、前記周波数修正指示情報に基づいて、前記基準動作周波数に修正する。
【００６０】
端末とデータ送信を行うために、ネットワークアクセスデバイスが基準動作周波数を使うことができるように、基準動作周波数を含む周波数修正指示情報が前記ネットワークアクセスデバイスに送信され、これにより、前記ネットワークアクセスデバイスは、前記周波数修正指示情報を送信する前記端末との通信のために、その動作周波数を前記基準動作周波数に修正する。
【００６１】
前記解決策を採用することによって、送信速度が基準送信速度よりも低いということを端末が決定した後、前記基準送信速度よりも高い送信速度に対応する動作周波数を動作周波数帯域全体から取得する。さらに、前記端末は、基準送信速度よりも高い送信速度に対応する動作周波数の中の基準動作周波数を、ネットワークアクセスデバイスと通信を行う前記端末の動作周波数として決定する。その一方で、前記端末は、前記基準動作周波数を有する周波数修正指示情報をネットワークアクセスデバイスに送信し、これにより、前記ネットワークアクセスデバイスは、前記端末との通信のためのその動作周波数を前記基準動作周波数に修正する。このように、前記端末は、基準送信速度よりも高い送信速度でデータを送信することができ、それによって、信号強度の減衰により引き起こされる送信速度の低下を効果的に軽減し、かつ、さらにデータ送信能力を改善する。
〔実施形態４〕
【００６２】
この実施形態は端末を提供しており、図４に示されているように、前記端末はコンパレータ４１と、プロセッサ４２と、送信器４３とを含むことができる。
【００６３】
具体的には、前記コンパレータ４１はデータ送信の送信速度が、前記データが実際に必要とする基準送信速度よりも低いか否かを決定するように構成され、もし、前記コンパレータが、データ送信の送信速度が前記基準送信速度よりも低いと決定した場合、プロセッサに通知メッセージを送信する。
【００６４】
前記プロセッサ４２は、一部又は全体の動作周波数帯域に問い合わせを行うことにより、前記コンパレータによって送信された前記通知メッセージに従って前記動作周波数帯域から前記基準動作周波数を取得するように構成され、かつ、前記基準動作周波数を送信器に送信するとともに、ネットワークアクセスデバイスと前記端末との間の通信のための動作周波数を、前記基準動作周波数に修正するように構成される。前記基準動作周波数は、前記基準送信速度よりも高いか又は等しい送信周波数に一致している。
【００６５】
前記送信器４３は、前記プロセッサにより送信された前記基準動作周波数を受信し、かつ、周波数修正指示情報を前記ネットワークアクセスデバイスに送信し、これにより、前記ネットワークアクセスデバイスが、前記周波数修正指示情報に基づいて、通信のための前記動作周波数を前記基準動作周波数に修正するように構成され、前記周波数修正指示情報は、前記プロセッサにより取得された前記基準動作周波数を含む。
【００６６】
前記解決策を採用することによって、送信速度が基準送信速度よりも低いということをコンパレータが決定した後、動作周波数帯域全体から前記基準送信速度よりも高い送信速度に対応する動作周波数をプロセッサが取得する。さらに、端末は、前記基準送信速度よりも高い送信速度に対応する動作周波数の中の基準動作周波数を、ネットワークアクセスデバイスと通信を行う前記端末の動作周波数として決定する。その一方で、送信器は、前記基準動作周波数を有する周波数修正指示情報をネットワークアクセスデバイスに送信し、これにより、前記ネットワークアクセスデバイスは端末との通信のためのその動作周波数を基準動作周波数に修正する。このように、前記端末は、基準送信速度よりも高い送信速度でデータを送信することができ、それによって、信号強度の減衰により引き起こされる送信速度の低下を効果的に軽減し、かつ、さらにデータ送信能力を改善する。
〔実施形態５〕
【００６７】
前記実施形態は、別の端末を提供しており、かつ、図４に示されている装置をさらに拡張したものであり、図４に示すように、前記装置はコンパレータ４１と、プロセッサ４２と、送信器４３とを含むことができる。
【００６８】
データ送信の送信速度が、前記データが実際に必要とする基準送信速度よりも低いと前記コンパレータ４１が決定し、もし該コンパレータが、データ送信の前記送信速度が前記基準送信速度よりも低いと決定する場合、プロセッサに通知メッセージを送信するように構成される。
【００６９】
前記プロセッサ４２は、一部又は全体の動作周波数帯域に問い合わせを行うことにより、前記コンパレータによって送信された前記通知メッセージに従って前記動作周波数帯域から基準動作周波数を取得するように構成され、かつ、前記基準動作周波数を送信器に送信するとともに、ネットワークアクセスデバイスと前記端末の間の通信のための動作周波数を、基準動作周波数に修正するように構成される。前記基準動作周波数は、基準送信速度よりも高いか又は等しい送信周波数に一致している。
【００７０】
また、前記プロセッサは、さらに、動作周波数と、前記動作周波数帯域から前記取得された動作周波数に対応する送信速度とを取得するように構成され、もし、前記取得された動作周波数の数が３よりも大きいか又は等しい場合、前記取得された動作周波数の中の２つの隣接する各動作周波数値間の差分値は同じであり、かつ、前記取得された動作周波数から前記基準送信速度よりも高いか又は等しい送信速度に対応する基準動作周波数を取得するように構成される。
【００７１】
さらに、前記プロセッサは、前記取得された動作周波数に対応する送信速度の中で最大の送信速度に対応する基準動作周波数を取得するように構成される。
【００７２】
前記送信器４３は、前記プロセッサにより送信された前記基準動作周波数を受信し、かつ、周波数修正指示情報を前記ネットワークアクセスデバイスに送信し、これにより、前記ネットワークアクセスデバイスが、前記周波数修正指示情報に基づいて、通信のための前記動作周波数を前記基準動作周波数に修正するように構成され、前記周波数修正指示情報は前記プロセッサにより取得された前記基準動作周波数を含む。
【００７３】
前記解決策を採用した後、端末とネットワークアクセスデバイスは基準送信速度よりも高い送信速度でデータを送信することができ、それによって、信号強度の減衰により引き起こされる送信速度の低下を効果的に軽減し、かつ、さらにデータ送信能力を改善する。
〔実施形態６〕
【００７４】
この実施形態は、ネットワークアクセスデバイスを提供しており、図５に示されているように、前記デバイスは受信機５１及びプロセッサ５２を含むことができる。
【００７５】
前記受信器５１は、端末により送信された周波数修正指示情報を受信するように構成される。前記周波数修正指示情報は基準動作周波数を含み、データ送信の送信速度は、前記データが実際に必要とする基準送信速度よりも低いと端末が決定した後に、一部又は全体の動作周波数帯域に問い合わせを行うことにより、前記動作周波数帯域から前記基準動作周波数が取得され、かつ、前記基準動作周波数は、前記基準送信速度よりも高いか又は等しい送信周波数に一致する。
【００７６】
前記プロセッサ５２は、前記受信器によって受信された前記周波数修正指示情報に基づいて、前記ネットワークアクセスデバイスと前記端末との間の通信のための動作周波数を、前記基準動作周波数に修正するように構成される。
【００７７】
前記解決策を採用した後、端末とネットワークアクセスデバイスは基準送信速度よりも高い送信速度でデータを送信することができ、それによって、信号強度の減衰により引き起こされる送信速度の低下を効果的に軽減し、かつ、十分な送信速度を確保し、データ送信能力を改善する。
〔実施形態７〕
【００７８】
この実施形態は、データ送信能力を改善するシステムを提供しており、図６に示すように、前記システムは端末６１と、ネットワークアクセスデバイス６２とを含むことができる。
【００７９】
前記端末６１は、データ送信の送信速度が、前記データが実際に必要とする基準送信速度よりも低いか否かを決定し、もし前記基準送信速度よりも低い場合、一部又は全体の動作周波数帯域に問い合わせを行うことにより、前記基準送信速度よりも高いか又は等しい送信周波数に一致する基準動作周波数を前記動作周波数帯域から取得して、周波数修正指示情報を前記ネットワークアクセスデバイスに送信し、これにより、前記ネットワークアクセスデバイスは、前記周波数指示情報に基づいて、端末との通信のためのその動作周波数を前記基準動作周波数に修正するように構成される。前記周波数修正指示情報は、前記基準動作周波数を含み、かつ、通信のための前記動作周波数を前記基準動作周波数に修正する。
【００８０】
前記ネットワークアクセスデバイス６２は、前記端末によって送信された前記周波数修正指示情報を受信し、かつ、前記周波数修正指示情報に基づいて、通信のための前記動作周波数を前記基準動作周波数に修正するように構成される。
【００８１】
また、前記端末は、前記取得された動作周波数に対応する送信速度の中で、最大の送信速度に対応する基準動作周波数を取得するようにさらに構成される。
【００８２】
前記解決策を採用した後、端末とネットワークアクセスデバイスは基準送信速度よりも高い送信速度でデータを送信することができ、それによって、信号強度の減衰により引き起こされる送信速度の低下を効果的に軽減し、かつ、十分な送信速度を確保し、かつ、データ送信能力を改善する。
【００８３】
実施形態の説明を通じて、本発明はソフトウェアと一般的に必要なハードウェアによって実装できることは当業者にとっては明らかであり、かつ、ハードウェアによって実装してもよいことは当然であるが、多くの場合、前記ソフトウェアの実装が好ましい。このような理解に従い、本質的に本発明の技術的解決策、または従来技術にその部分を加えたものは、ソフトウェア製品の形で実装してもよい。前記コンピュータソフトウェア製品は、例えば、フロッピー（登録商標）ディスク、ハードディスク、またはコンピュータの光ディスクのような読み取り可能な記録媒体に記録されるとともに、本発明の実施形態で説明した方法を実行するための、コンピュータデバイス（パーソナルコンピュータ、サーバ、ネットワークデバイス等）に命令するための様々な命令を含む。
【００８４】
前記説明は、本発明の具体的な単なる実施形態に過ぎず、しかし、本発明の保護範囲を限定することを意図していない。本発明で開示された技術的範囲での当業者によって容易に実施される任意の様々な置換は、本発明の保護範囲であってもよい。それゆえに、本発明の保護範囲は、請求項の保護範囲とする。
【符号の説明】
【００８５】
４１…  コンパレータ
４２…  プロセッサ
４３…  送信器
５１…  受信器
５２…  プロセッサ
６１…  端末
６２…  ネットワークアクセスデバイス
【図１】
2014003611.tif 000003
【図２】
2014003611.tif 000004
【図３】
2014003611.tif 000005
【図４】
2014003611.tif 000006
【図５】
2014003611.tif 000007
【図６】
2014003611.tif 000008
【外国語明細書】
2014003611000001.pdf